(57)【要約】【課題】  生産地から消費者までの全ての段階において資産の履歴データの信頼性を保証することができると共に、履歴データの読み取りが可能であって、ハンマ等による打ち込みや手での押し込みといった簡単な作業で追跡対象物への取り付けが可能な埋め込み型ＩＣタグを提供する。【解決手段】  データ読み取り用無線通信端末との間においてデータ通信可能なＩＣタグ本体２０と、ＩＣタグ本体２０を収容する収容部１２が形成され、第１の端部が先鋭部１４に形成されていると共に、第１の端部と反対側の第２の端部がＩＣタグ本体保護部１６に形成された筐体部１０と、を有することを特徴とする埋め込み型ＩＣタグ１００である。【選択図】図３
2019117538.tif 000002
【特許請求の範囲】
【請求項１】
データ読み取り用無線通信端末との間においてデータ通信可能なＩＣタグ本体と、
前記ＩＣタグ本体を収容する収容部が形成され、第１の端部が先鋭部に形成されていると共に、前記第１の端部と反対側の第２の端部がＩＣタグ本体保護部に形成された筐体部と、
を有することを特徴とする埋め込み型ＩＣタグ。
【請求項２】
前記ＩＣタグ本体は、充填体と共に前記収容部に収容されていることを特徴とする請求項１記載の埋め込み型ＩＣタグ。
【請求項３】
前記収容部の前記ＩＣタグ本体保護部の側の開口部には前記ＩＣタグ本体保護部の位置よりも前記収容部の奥側位置に蓋体が配設されていることを特徴とする請求項１または２記載の埋め込み型ＩＣタグ。
【請求項４】
前記筐体部の外周面には、前記筐体部の長手方向に延びる縦リブが少なくとも一本形成されていることを特徴とする請求項１〜３のうちのいずれか一項に記載の埋め込み型ＩＣタグ。
【請求項５】
前記筐体部の外周面には、前記筐体部の周方向に延びる横リブが少なくとも一本形成されていることを特徴とする請求項１〜４のうちのいずれか一項に記載の埋め込み型ＩＣタグ。
【請求項６】
前記筐体部のうち少なくとも前記先鋭部が追跡対象物に埋め込まれることを特徴とする請求項１〜５のうちのいずれか一項に記載の埋め込み型ＩＣタグ。
【発明の詳細な説明】
【技術分野】
【０００１】
本発明は、追跡対象物に埋め込んで用いられ、データ読み取り用無線通信端末との間において非接触でのデータ通信を可能にする埋め込み型ＩＣタグに関する。
【背景技術】
【０００２】
材木の産地等に関する履歴データの追跡を実現させる際においては、製材後の材木の表面に履歴データを紐付けしたコードや履歴データ自体を直接印刷する方法や、これらの印刷物を材木に貼り付ける方法が知られている。また、特許文献１（特開２００７−２４１７８１号公報）には、履歴データが紐付けされたＩＣタグを対象物に着脱可能に取り付けて履歴データの追跡を可能にする技術が開示されている。
【先行技術文献】
【特許文献】
【０００３】
【特許文献１】特開２００７−２４１７８１号公報
【発明の概要】
【発明が解決しようとする課題】
【０００４】
材木に履歴データを紐付けしたコードや履歴データ自体を直接印刷する場合や、これらの印刷物を材木に貼り付けする場合、印刷したコードの消失や滲み等の破損や印刷物の脱落等を生じることがある。これらにより材木の生産地から製材所までの履歴データの保証が不十分になってしまうといった課題がある。また、製材前の状態においては履歴データの印刷や履歴データの印刷物の貼り付け自体が困難であるといった課題もある。
【０００５】
また、特許文献１に開示されている技術においては、ＩＣタグ固定用構造体を追跡対象物に予め埋設させておかなければならないことに加え、ＩＣタグを収容したＩＣタグ収容体をＩＣタグ固定用構造体にねじ結合させなければならない。このため、材木の原木伐採を行うような場所におけるＩＣタグの取り付け作業が困難であるといった課題を有している。
【課題を解決するための手段】
【０００６】
そこで本発明においては、生産地から消費者までの全ての段階において追跡対象物の履歴データの信頼性を保証することができると共に、履歴データの読み取りが可能であって、ハンマ等による打ち込みや手での押し込みといった簡単な作業で追跡対象物への取り付けが可能な埋め込み型ＩＣタグの提供を目的としている。
【０００７】
発明者は以下の構成を採用することにより上記目的を解決することに成功した。すなわち本発明は、データ読み取り用無線通信端末との間においてデータ通信可能なＩＣタグ本体と、前記ＩＣタグ本体を収容する収容部が形成され、第１の端部が先鋭部に形成されていると共に、前記第１の端部と反対側の第２の端部がＩＣタグ本体保護部に形成された筐体部と、を有することを特徴とする埋め込み型ＩＣタグである。
【０００８】
これにより、履歴データを印刷したコードの消失や滲み等の破損や履歴データの印刷物の脱落等がなくなるので、生産地から消費者までの全ての段階において追跡対象物の履歴データの信頼性を保証することができる。また、履歴データの読み取りが可能なＩＣタグをハンマ等による打ち込みや手での押し込みといった簡単な作業で追跡対象物に取り付けすることができる。
【０００９】
また、前記ＩＣタグ本体は、充填体と共に前記収容部に収容されていることが好ましい。
【００１０】
これにより、ＩＣタグ本体が充填体により保持（固定）された状態で収容部に収容されることになり、筐体部を追跡対象物に打ち込みする際において、ＩＣタグ本体が収容部内で激しく移動することがない。すなわち、収容部の内壁との衝突によるＩＣタグ本体の破損がないため、ＩＣタグ本体のデータ読み取りエラーを防止することができる。
【００１１】
また、前記収容部の前記ＩＣタグ本体保護部の側の開口部には前記ＩＣタグ本体保護部の位置よりも前記収容部の奥側位置に蓋体が配設されていることが好ましい。
【００１２】
これにより収容部が蓋体によりシールされた状態になるため、収容部に収容したＩＣタグ本体の防水性および耐熱性が向上し、高温多湿環境内であってもＩＣタグ本体を保護することができる。
【００１３】
また、前記筐体部の外周面には、前記筐体部の長手方向に延びる縦リブが少なくとも一本形成されていることが好ましい。
【００１４】
これにより追跡対象物に埋め込み型ＩＣタグ（筐体部）を打ち込みする際において縦リブがガイドおよび補剛材として機能し筐体部を追跡対象物に垂直に打ち込みしやすくなると共に、筐体部の破損を防止することができる。また追跡対象物への埋め込み型ＩＣタグの打ち込み後においては縦リブがストッパとして機能し、抜け止め効果も期待することができる。
【００１５】
また、前記筐体部の外周面には、前記筐体部の周方向に延びる横リブが少なくとも一本形成されていることが好ましい。
【００１６】
これにより、追跡対象物への埋め込み型ＩＣタグ（筐体部）の打ち込み後において横リブがストッパとして機能し、抜け止め効果を期待することができる。
【００１７】
また、前記筐体部のうち少なくとも前記先鋭部が追跡対象物に埋め込まれることが好ましい。
【００１８】
これにより、埋め込み型ＩＣタグの全体を追跡対象物に埋め込まなくても、埋め込み型ＩＣタグを追跡対象物に取り付けすることができる。
【発明の効果】
【００１９】
本発明の埋め込み型ＩＣタグの構成によれば、履歴データを印刷したコードの消失や滲み等の破損や履歴データの印刷物の脱落等がなくなるので、生産地から消費者までの全ての段階において追跡対象物の履歴データの信頼性を保証することができる。また、履歴データの読み取りが可能なＩＣタグをハンマ等による打ち込みや手での押し込みといった簡単な作業で追跡対象物に取り付けすることができる。
【図面の簡単な説明】
【００２０】
【図１】第１実施形態における埋め込み型ＩＣタグの正面図である。
【図２】第１実施形態における埋め込み型ＩＣタグの斜視図である。
【図３】図１内のＩＩＩ−ＩＩＩ線における断面図である。
【図４】第２実施形態における埋め込み型ＩＣタグの正面断面図である。
【発明を実施するための形態】
【００２１】
（第１実施形態）
本実施形態における埋め込み型ＩＣタグ１００は、図１〜図３にそれぞれ示すように、筐体部１０の内部に、データ読み取り用無線端末（図示せず）との間でデータ通信可能なＩＣタグ本体２０が収容されたものである。埋め込み型ＩＣタグ１００は、筐体部１０の一部を追跡対象物に埋め込んで用いられる。
【００２２】
筐体部１０はポリカーボネートに代表される合成樹脂材料により筒状体に形成されている。また、筐体部１０の材料に生分解性プラスチックを用いれば、筐体部１０を伐採場等の自然界で分解することができるため、環境にやさしい埋め込み型ＩＣタグ１００を提供することができる。筐体部１０の内部空間はＩＣタグ本体２０の収容部１２になっている。また、筐体部１０の長手方向における第１の端部は先細な先鋭部１４に形成されていて、この先鋭部１４とは反対側の第２の端部は、所要長さ範囲（埋め込み深さ方向における所要範囲）が拡径されたＩＣタグ本体保護部１６に形成されている。
【００２３】
また筐体部１０の外周面には、ＩＣタグ本体保護部１６を起点として先鋭部１４に向かって延びる複数本の縦リブ１８Ａが筐体部１０の周方向に所要間隔をあけて配設されている。この縦リブ１８ＡはＩＣタグ本体保護部１６から先鋭部１４に近づくにつれて徐々に低く形成されたいわゆるくさび形状に形成されていることが好ましい。このような縦リブ１８Ａを配設することで、筐体部１０（埋め込み型ＩＣタグ１００）を追跡対象物に打ち込む際のガイドや補剛材として機能させることができ、筐体部１０の破損が防止される。
【００２４】
そして筐体部１０の外周面には、ＩＣタグ本体保護部１６から先鋭部１４側に所要距離離れた位置に、筐体部１０の周方向に延びる複数本の横リブ１８Ｂが配設されている。これらの横リブ１８Ｂは筐体部１０の長手方向に所要間隔をあけて配設されている。横リブ１８ＢはＩＣタグ本体保護部１６の側の面が筐体部１０の外周面に対して直交する直交面に形成され、先鋭部１４の側の面が先鋭部１４に近づくにつれて徐々に高さが低くなる傾斜面に形成されたいわゆるくさび形状に形成されていることが好ましい。
【００２５】
本実施形態における収容部１２は、先鋭部１４の側である奥側が有底であってＩＣタグ本体保護部１６の側である手前側が開口部となる凹穴形状に形成されている。収容部１２にはＩＣタグ本体２０と熱可塑性エラストマや熱硬化性エラストマに代表される合成樹脂からなる充填体３０がそれぞれ収容されている。
【００２６】
より詳細には、収容部１２の奥側の部分に充填体３０が充填された後にＩＣタグ本体２０が収容され充填体３０により固定保持されている。このＩＣタグ本体２０を封止するように充填体３０が追加充填された後、充填体３０（収容部１２の開口部）を被覆するための蓋体１９が配設されている。なお、蓋体１９の外表面（ＩＣタグ本体保護部１６の側の面）の位置は、ＩＣタグ本体保護部１６の外側面（打撃付与面）よりも収容部１２の奥側位置となるように配設されている。
【００２７】
このように収容部１２に収容されたＩＣタグ本体２０は充填体３０により保持された（封止された）状態になっている。充填体３０に緩衝性を有する材料を用いれば、埋め込み型ＩＣタグ１００の埋め込み時等において、埋め込み型ＩＣタグ１００に衝撃が加わったとしてもＩＣタグ本体２０におけるＩＣチップ２６の破損の可能性をさらに低減させることができる。
【００２８】
また、ＩＣタグ本体２０は図３に示すように、フェライトコア２２の側が収容部１２の奥側に、ＩＣチップ２６の側が収容部１２の開口部側（ＩＣタグ本体保護部１６の側）になるようにして収容部１２に収容されている。このようにＩＣチップ２６の位置が収容部１２の開口部側に可及的に近い位置になるように収容されているので、データ読み取り用無線端末との通信を確実に行うことができる。
【００２９】
先鋭部１４は円錐形状に形成されている。ここでは、先鋭部１４が筐体部１０と一体に形成されているが、筐体部１０とは別体に形成した先鋭部１４をねじ結合等により筐体部１０に結合させるようにしてもよい。このような形態を採用することにより先鋭部１４を筐体部１０よりも硬い材料により形成することができ、先鋭部１４の食い込み性能を高めることができる。
【００３０】
本実施形態におけるＩＣタグ本体保護部１６は筐体部１０の外径寸法よりも大きい拡径部に形成されている。このようにＩＣタグ本体保護部１６を拡径部により形成することで、追跡対象物への埋め込み型ＩＣタグ１００の埋め込み時におけるハンマ等による衝撃付与を容易に行うことができる。また、本実施形態におけるＩＣタグ本体保護部１６は筐体部１０と一体に形成されているが、筐体部１０とは別体に形成したＩＣタグ本体保護部１６をねじ結合等により筐体部１０に結合させるようにしてもよい。このような形態を採用することによりＩＣタグ本体保護部１６を筐体部１０よりも耐衝撃性に優れた材料により形成することができ、ＩＣタグ本体保護部１６の耐久性を高めることができる。
【００３１】
蓋体１９は収容部１２に収容したＩＣタグ本体２０と充填体３０への水分や熱の侵入を防止するため、防水性と耐熱性を有する材料であって、筐体部１０と充填体３０との付着性が良好な材料により形成されていることが好ましい。また、充填体３０により防水性を有すると共に耐熱性を有する状態で収容部１２を被覆することができれば蓋体１９の配設を省略することもできる。
【００３２】
このように埋め込み型ＩＣタグ１００には、タグ本体保護部１６と蓋体１９または充填体３０とにより凹部が形成され、凹部の内底部位置よりもさらに収容部１２の奥側位置にＩＣタグ本体２０が収容されていることになる。これにより、埋め込み型ＩＣタグ１００の埋め込み時における衝撃がＩＣタグ本体２０に直接作用することがなく、ＩＣタグ本体２０の破損を防止することができる点において好都合である。
【００３３】
本実施形態におけるＩＣタグ本体２０は、図３に示すように、フェライトコア２２とフェライトコア２２の外周面に巻回された導線コイルアンテナ２４と導線コイルアンテナ２４に接続されたＩＣチップ２６がケース２８に収容されたものである。ＩＣチップ２６には外部装置であるデータ読み取り用無線通信端末（図示せず）との間でデータ通信可能なＲＦＩＤ用チップを採用するのが好適である。このようなＩＣタグ本体２０の構成は公知であるためここでのＩＣタグ本体２０に関する詳細な説明は省略する。
【００３４】
このようにして形成された埋め込み型ＩＣタグ１００は、少なくとも先鋭部１４を追跡対象物に埋め込むことで追跡対象物に取り付けすることができる。追跡対象物が材木である場合、材木の原木を伐採する伐採場において原木の伐採後や玉切り後の木口にハンマ等（ゴムハンマが好ましい）を用いて埋め込み型ＩＣタグ１００のＩＣタグ本体保護部１６に打撃を与えればよい。これにより、埋め込み型ＩＣタグ１００を、その一部を除いて原木の木口に埋め込むことができる。また、埋め込み型ＩＣタグ１００のＩＣタグ本体保護部１６の外表面（打撃付与面）を木口と面一にした状態で埋め込むようにすることも可能である。
【００３５】
原木の木口に埋め込み型ＩＣタグ１００を埋め込む際には、縦リブ１８Ａが埋め込み（打ち込み）時のガイドおよび補剛材となるため、埋め込み型ＩＣタグ１００を適切に原木の木口に埋め込むことができ、破損を防止することができる。また、埋め込み後は埋め込み時に変形した材木が元の形状に戻ることで縦リブ１８Ａと横リブ１８Ｂがストッパとして機能し、原木の運搬中に埋め込み型ＩＣタグ１００が外れてしまうことはない。
【００３６】
原木の木口に埋め込まれた（打ち込まれた）埋め込み型ＩＣタグ１００は、拡径部に形成されたＩＣタグ本体保護部１６が木口に露出するため、埋め込み型ＩＣタグ１００の位置が認識しやすくなる。また、本実施形態における埋め込み型ＩＣタグ１００は、ＩＣタグ本体保護部１６によりＩＣタグ本体２０には直接衝撃が加わらず、緩衝性を有する充填体３０によりＩＣタグ本体２０に作用する衝撃を軽減させことが可能な構成が採用されている。これにより、原木に埋め込んだ埋め込み型ＩＣタグ１００のＩＣタグ本体２０の破損が防止され、データ読み取り用無線通信端末との間において確実なデータ通信を行うことができる。
【００３７】
このように原木の木口に埋め込み型ＩＣタグ１００を埋め込むことで、製材所内における原木等に対する一連の処理（粗挽き処理、乾燥処理、挽き直し処理）を行っても、埋め込み型ＩＣタグ１００がこれらの中間処理段階の材木の木口から外れてしまうことがない。しかしながら中間処理段階の材木を最終製品に成形（長さ合わせ）する際に木口処理が行われると、埋め込み型ＩＣタグ１００が最終製品から外れ、履歴データの継続が途絶えるおそれがある。この場合は、埋め込み型ＩＣタグ１００のＩＣタグ本体２０から予め読み取った履歴データを木口処理の直後の最終製品の外表面に印刷する方法や、履歴データの印刷物を最終製品の外表面に貼付することにより履歴データを継続させることができる。これにより生産地から消費者までの全ての流通段階で材木のトレーサビリティを実現することができる。
【００３８】
（第２実施形態）
図４は第２実施形態における埋め込み型ＩＣタグ１００の正面断面図である。本実施形態においては、第１実施形態と同様の構成に対しては第１実施形態で用いた符号を付すことでここでの詳細な説明を省略している。本実施形態における埋め込み型ＩＣタグ１００は、筐体部１０にＩＣタグ本体２０がインサート成型され、充填体３０が充填されていない点が特徴的である。
【００３９】
このように筐体部１０にＩＣタグ本体２０がインサート成型されている形態においては、ＩＣタグ本体２０の外周縁部分が収容部１２に相当する。また、筐体部１０の第１の端部である埋め込み面には複数の先鋭部１４が形成されている。筐体部１０の先鋭部１４の形成面とは反対側の面（第２の端部）には外周縁部分が所要幅で突出する突出枠体状のＩＣタグ本体保護部１６が形成されている。
【００４０】
本実施形態におけるＩＣタグ本体保護部１６は筐体部１０に内蔵されたＩＣタグ本体２０の外周縁位置よりも外側位置に形成されているので、追跡対象物に埋め込み型ＩＣタグ１００を埋め込む際に、打撃や衝撃をＩＣタグ本体保護部１６に作用させれば、ＩＣタグ本体２０を保護することができる。本実施形態においては、ＩＣタグ本体保護部１６を筐体部１０の外周縁に沿って突出させた突出枠状体に形成しているが、ＩＣタグ本体保護部１６は突出枠状体でなくてもよい。具体的には、筐体部１０の先鋭部１４形成面とは反対側の面にＩＣタグ本体２０の収容位置よりも外側（図４内の右側）の位置に連続また不連続の突出部を形成した形態を採用することもできる。
【００４１】
以上に埋め込み型ＩＣタグ１００の実施形態について具体例に基づき詳細に説明したが、本発明における埋め込み型ＩＣタグ１００は以上の実施形態に限定されるものではない。例えば、本実施形態においては追跡対象物として材木を用いているが、追跡対象物は材木に限定されるものではなく、アスファルト供試体やコンクリート供試体等に代表される他の追跡対象物にも適用することができる。コンクリート供試体等の硬質物体に埋め込み型ＩＣタグ１００を埋め込む際には、埋め込み型ＩＣタグ１００の筐体部１０はＩＣタグ本体２０の通信を阻害しない金属材料等で形成すればよい。
【００４２】
また、以上の実施形態においては、埋め込み型ＩＣタグ１００を追跡対象物に埋め込んで、追跡対象物のトレーサビリティを実現する形態について説明したが、流通用パレット等の資産管理を行う際に用いることもできる。
【００４３】
また、以上の実施形態においては、筐体部１０をポリカーボネートにより形成した形態について説明したが、筐体部１０の材料は追跡対象物に埋め込みする際において破損することがなければ、他の公知の材料により形成することもできる。
【００４４】
また、以上の実施形態においては、追跡対象物にハンマ等を用いて埋め込み型ＩＣタグ１００を埋め込む形態について説明したが、この形態に限定されるものではない。例えば、圧縮空気を用いた打ち込み工具を用いることもできる。また、素手によって追跡対象物に埋め込み型ＩＣタグ１００を埋め込むようにしてもよい。この場合ＩＣタグ本体２０には打撃等による衝撃は作用しないが、ＩＣタグ本体保護部１６により追跡対象物の運搬中における外力を受けさせることによりＩＣタグ本体２０を保護することができる。
【００４５】
また、以上の実施形態においては緩衝性を有する充填体３０を用いているが、単にＩＣタグ本体２０を収容部１２の内部で固定保持するのみであれば緩衝性を有さない充填体３０を用いることもできる。さらに素手によって追跡対象物に埋め込まれる埋め込み型ＩＣタグ１００においては、収容部１２内への充填体３０の充填を省略し、単に収容部１２にＩＣタグ本体２０を収容した形態を採用することもできる。この場合、蓋体１９等により収容部１２の開口部を閉塞しておけば、収容部１２からＩＣタグ本体２０が逸脱してしまうことはない。
【００４６】
また、以上の実施形態においては縦リブ１８Ａと横リブ１８Ｂは筐体部１０の外周面にそれぞれ複数本配設した形態について説明しているが、縦リブ１８Ａと横リブ１８Ｂを筐体部１０に配設する場合には、筐体部１０の外周面に少なくとも一本形成すればよい。さらに、縦リブ１８Ａと横リブ１８Ｂは、一方または両方の配設を省略することもできる。
【００４７】
また、以上の実施形態においては、ケース２８にフェライトコア２２に巻回させた導線コイルアンテナ２４を電気的に接続したＩＣチップ２６を収容した形態のＩＣタグ本体２０を用いているが、ＩＣタグ本体２０はこの構成に限定されるものではない。ＩＣタグ本体２０は、アンテナ部とアンテナ部に接続されたＩＣチップ２６を有していればよく、アンテナ部とＩＣチップ２６からなるＩＣタグ本体２０を筐体部１０の収容部１２に充填体３０と共に収容した埋め込み型ＩＣタグ１００の形態を採用することもできる。
【００４８】
また、以上の実施形態と明細書内で例示した変形例を適宜組み合わせた形態を採用することももちろん可能である。
【符号の説明】
【００４９】
１０  筐体部，
１２  収容部，１４  先鋭部，１６  ＩＣタグ本体保護部，
１８Ａ  縦リブ，１８Ｂ  横リブ，１９  蓋体，
２０  ＩＣタグ本体，
２２  フェライトコア，２４  導線コイルアンテナ，２６  ＩＣチップ，２８  ケース，
３０  充填体，
１００  埋め込み型ＩＣタグ
【図１】
2019117538.tif 000003
【図２】
2019117538.tif 000004
【図３】
2019117538.tif 000005
【図４】
2019117538.tif 000006